(57)【特許請求の範囲】
【請求項１】
画面を有する携帯端末に取り付け可能な本体部と、
使用者が操作可能なタッチ部を有し、前記本体部に配置され且つ前記画面と前記タッチ部とが導通することで前記画面の情報を操作可能な操作部と、を備え、
前記操作部は、前記本体部が前記携帯端末に取り付けられた状態において、
前記タッチ部の操作によって前記画面から前記タッチ部までの導通経路が連続した状態と断絶した状態とに切り替え可能な導通切替状態と、
前記導通経路が連続した状態が維持される導通維持状態と、に切替可能である、携帯端末用コントローラ。
【請求項２】
前記操作部は、前記導通経路を構成する部材に着脱可能に取り付けられることで前記導通切替状態を前記導通維持状態に切り替える状態切替部材を有する、請求項１に記載の携帯端末用コントローラ。
【請求項３】
画面を有する携帯端末に取り付け可能な本体部と、
前記本体部が前記携帯端末に取り付けられた状態において前記画面から離間している初期位置と前記画面に当接した当接位置との間で位置の切り替えが可能な当接部、及び前記当接部の位置を操作可能なタッチ部を有し、前記本体部に配置される操作部と、を備え、
前記操作部は、前記初期位置における前記当接部と前記画面との間隔、及び、前記当接部が前記初期位置から前記当接位置に位置を切り替えるときの前記タッチ部の操作量の少なくとも一方を調整可能である、携帯端末用コントローラ。
【請求項４】
前記操作部は、前記タッチ部を含み且つ該タッチ部の操作によって所定の軸周りに回動可能なレバーを有し、
前記当接部は、前記レバーの回動に伴って前記初期位置と前記当接位置との間で位置を切り替える、請求項３に記載の携帯端末用コントローラ。
【請求項５】
前記操作部は、前記本体部における配置位置を変更できる、請求項１〜４のいずれか１項に記載の携帯端末用コントローラ。
【発明の詳細な説明】
【技術分野】
【０００１】
本発明は、携帯端末に装着して、その画面に表示された情報を操作する携帯端末用コントローラに関する。
【背景技術】
【０００２】
従来から、携帯端末に装着して、その画面に表示された情報を操作する携帯端末用コントローラが知られている（非特許文献１参照）。この携帯端末用コントローラは、スマートフォン等の携帯端末に取り付け可能な本体部と、前記本体部に配置される操作部と、を備える。操作部は、レバーと、該レバーの操作によって携帯端末の画面に当接及び離間する当接部と、を有する。
【０００３】
この携帯端末用コントローラでは、本体部が携帯端末に取り付けられた状態で操作部のレバーを指で押し下げることで、画面から離間していた当接部が該画面に当接し、これにより、画面の情報が操作される。
【先行技術文献】
【非特許文献】
【０００４】
【非特許文献１】株式会社グラムインターナショナル、楽天市場、“GRAMME INTERNATIONAL CO.,LTD  六本指コントローラー”、［online］、[令和２年５月２１日検索]、インターネット＜ＵＲＬ：https://item.rakuten.co.jp/gramme/kouya_6yp/＞
【発明の概要】
【発明が解決しようとする課題】
【０００５】
上記の携帯端末用コントローラでは、レバーを押し下げて画面の情報を操作する際に、レバーの押し下げ開始から当接部が画面に当接するまで、即ち、レバー操作の開始から画面の情報が操作されるまでに所定の時間が必要であるが、操作する人（使用者）や画面に表示される情報（例えば、ゲーム等）によって、操作の応答性を高めたいとの要望があった。
【０００６】
一方、操作する人や画面に表示される情報によっては、操作の応答性をあまり高くしたくない場合もあった。
【０００７】
そこで、本発明は、画面の情報に対する応答性を変えることができる携帯端末用コントローラを提供することを課題とする。
【課題を解決するための手段】
【０００８】
本発明に係る携帯端末用コントローラは、
画面を有する携帯端末に取り付け可能な本体部と、
使用者が操作可能なタッチ部を有し、前記本体部に配置され且つ前記画面と前記タッチ部とが導通することで前記画面の情報を操作可能な操作部と、を備え、
前記操作部は、前記本体部が前記携帯端末に取り付けられた状態において、
前記タッチ部の操作によって前記画面から前記タッチ部までの導通経路が連続した状態と断絶した状態とに切り替え可能な導通切替状態と、
前記導通経路が連続した状態が維持される導通維持状態と、に切替可能である。
【０００９】
かかる構成によれば、操作部を導通切替状態と導通維持状態とに切り替えることで、画面の情報に対する応答性を変えることができる。即ち、本体部が携帯端末に取り付けられた状態で操作部を導通維持状態に切り替えることで、タッチ部に触れただけで画面の情報を操作できるため、該画面の情報に対する応答性（操作の応答性）を高くすることができる一方、操作部を導通切替状態に切り変えることで、タッチ部の操作が必要になるため、画面の情報に対する応答性を導通維持状態に比べて低くすることができる。
【００１０】
前記携帯端末用コントローラでは、
前記操作部は、前記導通経路を構成する部材に着脱可能に取り付けられることで前記導通切替状態を前記導通維持状態に切り替える状態切替部材を有してもよい。
【００１１】
かかる構成によれば、状態切替部材の着脱といった構成部材の簡素な動作によって導通切替状態と導通維持状態とに切り替えることができる。
【００１２】
また、本発明に係る携帯端末用コントローラでは、
画面を有する携帯端末に取り付け可能な本体部と、
前記本体部が前記携帯端末に取り付けられた状態において前記画面から離間している初期位置と前記画面に当接した当接位置との間で位置の切り替えが可能な当接部、及び前記当接部の位置を操作可能なタッチ部を有し、前記本体部に配置される操作部と、を備え、
前記操作部は、前記初期位置における前記当接部と前記画面との間隔、及び、前記当接部が前記初期位置から前記当接位置に位置を切り替えるときの前記タッチ部の操作量の少なくとも一方を調整可能である。
【００１３】
かかる構成によれば、画面の情報に対する応答性を変えることができる。即ち、初期位置における当接部と画面との間隔を小さくすること、及び、当接部が初期位置から当接位置に位置を切り替えるときのタッチ部の操作量を小さくすること、の少なくとも一方を行うことによって、画面の情報に対する応答性を高くすることができる一方、前記間隔を大きくすること及び前記操作量を大きくすること、の少なくとも一方を行うことによって、画面の情報に対する応答性を前記の場合に比べて低くすることができる。
【００１４】
前記携帯端末用コントローラでは、
前記操作部は、前記タッチ部を含み且つ該タッチ部の操作によって所定の軸周りに回動可能なレバーを有し、
前記当接部は、前記レバーの回動に伴って前記初期位置と前記当接位置との間で位置を切り替えてもよい。
【００１５】
かかる構成によれば、当接部の初期位置の変更又はレバーの操作量の変更による好適な操作性（応答性を変えることができる構成）を確保しつつ、レバー操作で当接部を画面に対して当接させ及び離間させる構成とすることで操作性の向上も図っている。
【００１６】
また、前記携帯端末用コントローラでは、
前記操作部は、前記本体部における配置位置を変更できてもよい。
【００１７】
かかる構成によれば、タッチ部の位置や、操作部を操作した際の画面における当接部の当接位置を容易に変更することができる。
【発明の効果】
【００１８】
以上より、本発明によれば、画面の情報に対する応答性を変えることができる携帯端末用コントローラを提供することができる。
【図面の簡単な説明】
【００１９】
【図１】図１は、本実施形態に係る携帯端末用コントローラの正面側の斜視図である。
【図２】図２は、前記携帯端末用コントローラの分解斜視図である。
【図３】図３は、前記携帯端末用コントローラの背面側の斜視図である。
【図４】図４は、前記携帯端末用コントローラの正面図である。
【図５】図５（ａ）は、図４のＶ−Ｖ位置の拡大断面図であって、調整部材が第一位置のときの拡大断面図であり、図５（ｂ）は、図４のＶ−Ｖ位置の拡大断面図であって、調整部材が第二位置のときの拡大断面図である。
【図６】図６は、図４のＶＩ−ＶＩ位置の拡大断面図である。
【図７】図７は、携帯端末に装着された状態の前記携帯端末用コントローラの正面図である。
【図８】図８は、携帯端末に装着された状態の前記携帯端末用コントローラの側面図である。
【発明を実施するための形態】
【００２０】
以下、本発明の一実施形態について、図１〜図８を参照しつつ説明する。
【００２１】
本実施形態の携帯端末用コントローラ（以下、単に「コントローラ」とも称する。）は、携帯端末に装着され、その画面に表示される情報の操作を容易に行えるようにする。本実施形態の携帯端末は、例えば、スマートフォンである（図７参照）。尚、以下の説明では、コントローラにおいて、携帯端末に装着した状態での携帯端末の長手方向をＸ軸方向とし、携帯端末の幅（短手）方向をＺ軸方向とし、携帯端末の厚さ方向をＹ軸方向とする。
【００２２】
コントローラは、図１〜図４、図７に示すように、画面Ｇを有する携帯端末Ｓに取り付け可能な本体部２と、本体部２に配置される少なくとも一つの操作部５と、を備える。本実施形態のコントローラ１は、複数（図１に示す例では、六つ）の操作部５を備え、これら複数の操作部５は、本体部２におけるＺ軸方向の一方側の端部（図１における上端部）に配置される。
【００２３】
本体部２は、基部３と、該基部３から膨出するグリップ４と、を有する。本実施形態の本体部２は、一対（二つ）のグリップ４を有する。
【００２４】
基部３は、携帯端末Ｓに取り付けられたときに該携帯端末Ｓの背面（画面Ｇと反対側の面）が当接する基部本体３１と、携帯端末Ｓを幅方向から挟み込むことで該携帯端末Ｓを保持する保持部３２と、を有する。尚、携帯端末Ｓの背面側がカバー等で覆われている場合に、基部本体３１には、前記カバー等が当接する。
【００２５】
基部本体３１は、保持部３２に保持された状態の携帯端末Ｓと対向する面３１１に配置される複数の凸条３１２と、切欠き部３１３と、を有する。また、基部本体３１は、操作部５が配置される配置部３１５を有する。本実施形態の基部本体３１の上端部（Ｚ軸方向の一方側の端部）は、Ｘ軸方向に真っ直ぐに延びており、Ｙ軸方向の一方側の部位（正面部）３１ａより他方側の部位（背面部）３１ｂが基部本体３１の下端部側（Ｚ軸方向の他方側）に凹んでいる。このＺ軸方向の位置の違いにより、正面部３１ａと背面部３１ｂとの境界位置に段差面３１ｃが形成されている。この段差面３１ｃは、Ｙ軸方向と直交する面方向に広がる。
【００２６】
複数の凸条３１２のそれぞれは、Ｘ軸方向に沿って延びている。これら複数の凸条３１２は、Ｚ軸方向に間隔をあけて並んでいる。これら複数の凸条３１２は、保持部３２に携帯端末Ｓが保持されたときに該携帯端末Ｓの背面と当接することで該背面と面３１１との間に空間を形成する。これにより、携帯端末Ｓの熱を逃がし易くなる。本実施形態の各凸条３１２は、Ｘ軸方向に真っ直ぐ延びている。
【００２７】
切欠き部３１３は、携帯端末Ｓの背面が基部本体３１によって覆われる面積を少なくするため設けられた部位である（図７参照）。本実施形態の切欠き部３１３は、Ｘ軸方向に間隔をあけて二つ設けられている。各切欠き部３１３は、基部本体３１の下端部から上端部に向けて凹むように形成されている。
【００２８】
配置部３１５は、基部本体３１の上端部において、Ｘ軸方向の中央部を挟んで一方側と他方側とにそれぞれ設けられている。即ち、本実施形態の基部本体３１は、二つの配置部３１５を有する。各配置部３１５は、基部本体３１の下端部に向けて凹み且つＸ軸方向に延びる凹状の部位である。本実施形態の各配置部３１５は、基部本体３１の背面部３１ｂに形成されている（図５（ａ）〜図６参照）。この配置部３１５は、Ｚ軸方向から見て、Ｘ軸方向に長尺な矩形状の凹部であり、各配置部３１５には、操作部５が取り外し可能に嵌入されている。本実施形態の配置部３１５は、一つの操作部５が嵌入可能な部位（凹部）がＸ軸方向に複数並ぶ（連なる）ことにより形成されている。これにより、各配置部３１５には、Ｘ軸方向の複数の位置に操作部５が嵌入（配置）可能である。
【００２９】
保持部３２は、基部本体３１から突出する突出部３２０と、突出部３２０に対して携帯端末Ｓを押し付け可能な押圧部３２５と、を有する。
【００３０】
突出部３２０は、基部本体３１の上端部からＹ軸方向の一方側（面３１１が向く方向）に突出する部位であり、複数の突出部（第一突出部３２１、第二突出部３２２）を含む。これら複数の突出部３２１、３２２は、Ｙ軸方向に間隔をあけて並んでいる。
【００３１】
第一突出部３２１は、基部本体３１におけるＸ軸方向の中央部から突出する。具体的に、第一突出部３２１は、Ｘ軸方向において、基部本体３１の二つの配置部３１５間に配置されている。この第一突出部３２１は、Ｚ軸方向の他方側（下端部側）を向き且つ携帯端末Ｓが当接する当接面３２１ａを有する（図５（ａ）及び図５（ｂ）参照）。この当接面３２１ａには、Ｘ軸方向に延びる溝が形成されている。また、第一突出部３２１は、Ｚ軸方向における当接面３２１ａより一方側においてＹ軸方向に貫通する貫通孔３２１ｂを有する。この貫通孔３２１ｂには、例えば、携帯端末Ｓの画像を拡大する拡大レンズ等のオプション部品等が着脱できる。
【００３２】
第二突出部３２２は、第一突出部３２１に対してＸ軸方向の一方側と他方側とに配置されている。即ち、突出部３２０は、二つの第二突出部３２２を含む。この第二突出部３２２は、第一突出部３２１と同様に、Ｚ軸方向の他方側を向き且つ携帯端末Ｓが当接する当接面３２２ａを有する。この当接面３２２ａにも、Ｘ軸方向に延びる溝が形成されている。
【００３３】
これら二つの第二突出部３２２のそれぞれは、Ｘ軸方向において、基部本体３１における配置部３１５よりＸ軸方向の外側に配置されている。即ち、各配置部３１５は、Ｘ軸方向において、第一突出部３２１と第二突出部３２２との間に配置されている。
【００３４】
押圧部３２５は、基部本体３１に対してＺ軸方向に相対移動可能な押圧部本体３２６と、押圧部本体３２６を付勢する図略の付勢部材と、を有する。この押圧部３２５は、基部本体３１におけるＸ軸方向の中央部（第一突出部３２１と対応する位置）に配置されている。
【００３５】
押圧部本体３２６は、Ｚ軸方向に進退可能に基部本体３１に挿入されている進退部３２７と、進退部３２７の下端部からＹ軸方向の一方側に延びる押圧用突出部３２８と、を有する。
【００３６】
進退部３２７は、Ｚ軸方向に延び、基部本体３１における二つの切欠き部３１３間の部位の下端部から進退する。
【００３７】
押圧用突出部３２８は、Ｘ軸方向における第一突出部３２１と対応する位置、即ち、Ｚ軸方向から見て第一突出部３２１と重なる位置に配置されている。この押圧用突出部３２８は、第一突出部３２１側（Ｚ軸方向の一方側）を向き且つ携帯端末Ｓが当接する当接面３２８ａを有する。この当接面３２８ａにも、Ｘ軸方向に延びる溝が形成されている。
【００３８】
付勢部材は、基部本体３１の内部に配置され、押圧部本体３２６（詳しくは、進退部３２７）を基部本体３１の上端部側に向けて付勢している。本実施形態の付勢部材は、進退部３２７が最も後退した状態（図１の位置）においても進退部３２７を基部本体３１の上端部側に向けて付勢している。
【００３９】
グリップ４は、コントローラ１の使用者が把持する部位であり、基部３（基部本体３１）からＹ軸方向の他方側に膨出した部位である。このグリップ４は、基部３におけるＸ軸方向の両端部に配置されている。即ち、本実施形態の本体部２は、Ｘ軸方向に間隔をあけた二つのグリップ４を有する。
【００４０】
各グリップ４は、コントローラ１の使用時に、机等の天面に当接させることでコントローラ１の位置や姿勢を安定させる当接面４１を有する。この当接面４１は、グリップ４の下端部におけるＹ軸方向の他方側に配置され、Ｙ軸方向の他方側に向かうにつれて基部３の上端部側に向かう傾斜面である。
【００４１】
複数の操作部５のそれぞれは、図５（ａ）〜図６にも示すように、基部３に着脱可能な躯体部５１と、躯体部５１に配置され且つ導電性を有する導通部５２と、を有する。また、複数の操作部５のそれぞれは、導通部５２を付勢する付勢部材５５を有する。
【００４２】
躯体部５１は、導通部５２を保持する保持部５１１と、基部３の配置部３１５に着脱可能に嵌入される嵌入部５１３と、を有する。
【００４３】
保持部５１１は、Ｘ軸方向に間隔をあけて対向する一対の保持板部５１２を有し、これら一対の保持板部５１２間に導通部５２を保持する。一対の保持板部５１２のそれぞれは、Ｘ軸方向と直交する面方向に広がり、Ｘ軸方向から見て重なる位置に軸受け穴５１２ａを有する。本実施形態の保持部５１１では、各保持板部５１２は、基部本体３１の正面部３１ａを上方側から跨ぐような形状（下方側が開口する略コ字状）であり、Ｙ軸方向に間隔をあけた二つの軸受け穴５１２ａ１、５１２ａ２を有する。
【００４４】
また、保持部５１１において、一対の保持板部５１２のうちの一方の保持板部５１２は、他方の保持板部５１２より上方側に突出する把持部５１２ｂを有する。この把持部５１２ｂは、基部本体３１（本体部２）から操作部５を取り外すときに把持される部位である。
【００４５】
嵌入部５１３は、保持部５１１の下端部からＺ軸方向に沿って延び、配置部３１５に嵌入される部位である。本実施形態の嵌入部５１３は、配置部３１５に嵌入されたときに該配置部３１５と係合する凸部５１３ａを有する。
【００４６】
導通部５２は、複数の部材によって構成され、携帯端末Ｓの画面Ｇからコントローラ１の使用者が指を添える部位（タッチ部５３１）までを導通させることで該画面Ｇの情報を操作可能な部位である。この導通部５２は、画面Ｇから離間している初期位置と画面Ｇに当接した当接位置との間で位置の切り替えが可能な当接部５４２、及び当接部５４２の位置を操作可能なタッチ部５３１を有する。
【００４７】
具体的に、導通部５２は、使用者が操作する第一部材（レバー）５３と、第一部材５３の操作（動作）に伴って携帯端末Ｓの画面Ｇに当接及び離間する第二部材５４と、を有する。
【００４８】
第一部材５３は、導電性を有し、本実施形態の第一部材５３は、金属性である。この第一部材５３は、使用者が操作するときに触れる部位（タッチ部）５３１を含み、所定の軸周りに回動可能である。本実施形態の第一部材５３は、長尺な部材であり、該第一部材５３の中間部位からＸ軸方向の一方側と他方側とに延びる軸５３２を有する。この軸５３２は、躯体部５１（詳しくは、一対の保持板部５１２）においてＸ軸方向に対向する軸受け穴５１２ａ１にそれぞれ挿入されている。これにより、第一部材５３は、軸５３２周りに回動可能である。
【００４９】
本実施形態の第一部材５３は、一方の端部にタッチ部５３１を含み、他方の端部に上方側に突出する凸部５３３を有する（図５（ａ）及び図５（ｂ）参照）。この凸部５３３は、Ｘ軸方向から見て上方側に凸となる円弧状に突出（膨出）している。
【００５０】
この第一部材５３は、小指を巻き掛けるようにグリップ４を把持した状態で、他方の端部が残りの指を添えることができる位置となり、且つ、一方の端部がＺ軸方向における基部３の上端部に沿うように、一箇所又は複数個所で湾曲等している。これにより、タッチ部５３１が使用者の指によって基部３側に押されることで（図５（ａ）及び図６の符号α参照）、第一部材５３が軸５３２周りに回動し、凸部５３３が上方側に移動する。
【００５１】
第二部材５４は、導電性を有し、本実施形態の第一部材５３は、金属性である。この第二部材５４は、第一部材５３の回動に伴って回動可能な可動部本体５４１と、可動部本体５４１に取り付けられる当接部５４２と、を有する。
【００５２】
可動部本体５４１は、Ｌ字状の部材であり、屈曲部（又は湾曲部）５４１０からＹ軸方向に沿って延びる第一部位５４１１と、屈曲部５４１０からＺ軸方向に沿って延びる第二部位５４１２と、を有する。
【００５３】
屈曲部５４１０は、第一部材５３よりＹ軸方向の一方側に位置し、第一部位５４１１は、第一部材５３の凸部５３３の上方側に重なる位置まで延び、第二部位５４１２は、保持部３２が携帯端末Ｓ保持したときの該携帯端末Ｓの画面Ｇの近傍位置まで延びている。
【００５４】
また、第二部材５４は、Ｘ軸方向の一方側と他方側とに延びる軸５４１３も有する。本実施形態の第二部材５４では、第二部位５４１２が軸５４１３を有する。この軸５４１３は、躯体部５１（詳しくは、一対の保持板部５１２）においてＸ軸方向に対向する軸受け穴５１２ａ２にそれぞれ挿入されている。これにより、第二部材５４は、軸５３２周りに回動可能である。
【００５５】
当接部５４２は、第二部位５４１２の下端部から画面Ｇ側に突出する部位である。この当接部５４２は、画面Ｇに当接したときの該画面Ｇの損傷を防ぐために、球面状の当接面５４２ａを有し、導電性を有する樹脂によって形成されている。
【００５６】
付勢部材５５は、第二部材５４の第二部位５４１２をＹ軸方向の一方側に付勢する。具体的に、付勢部材５５は、第二部位５４１２の軸５４１３より当接部５４２側の部位を付勢する。本実施形態の付勢部材５５は、つるまきバネである。
【００５７】
以上のように構成される操作部５では、第一部材５３のタッチ部５３１に基部３側への力が働かない状態、即ち、操作部５（第一部材５３）が操作されていない状態では、付勢部材５５の付勢力によって当接部５４２が携帯端末Ｓの画面Ｇから離間した位置（初期位置）にある。
【００５８】
この状態から第一部材５３のタッチ部５３１が基部３側に押されて第一部材５３が軸５３２周りに回動すると（図５（ａ）及び図６の符号α参照）、第二部材５４の第一部材５３側の端部が第一部材５３の凸部５３３と重なっているため、第二部材５４の前記端部が凸部５３３に押され、これにより、第二部材５４が付勢部材５５の付勢力に逆らって軸５４１３周りに回動する（図５（ａ）及び図６の符号β参照）。この回動によって、当接部５４２が初期位置から携帯端末Ｓの画面Ｇに当接する位置（当接位置）まで移動する（位置が切り替わる）。
【００５９】
一方、第一部材５３のタッチ部５３１への基部３側への押圧力がなくなると、第二部材５４の第一部材５３側の端部に対する凸部５３３からの押圧力がなくなるため、付勢部材５５の付勢力によって当接部５４２が画面Ｇから離間する方向に第二部材５４が軸５４１３周りに回動し、これにより、当接部５４２が当接位置から初期位置に移動する（位置が切り替わる）。
【００６０】
また、以上のように構成される複数の操作部５は、基部３の二つの配置部３１５に配置されている。本実施形態のコントローラ１は、上述のように六つの操作部５を有し、各配置部３１５に操作部５が三つずつ配置されている。このとき、共通の配置部３１５に配置されている複数の操作部５の各第一部材５３は、操作性の観点から、Ｘ軸方向から見てタッチ部５３１が他の操作部５のタッチ部５３１と重ならない位置となるような形状をそれぞれ有する（図３及び図８参照）。
【００６１】
より詳しくは、共通の配置部３１５に配置されている複数の操作部５において、Ｘ軸方向におけるコントローラ１の中心側の操作部５ほど、第一部材５３の軸５３２からタッチ部５３１までの距離が大きく、且つ、外側の操作部５ほど、タッチ部５３１が上方側に位置している。
【００６２】
また、コントローラ１において、複数の操作部５のうちの少なくとも一つの操作部５Ａは、調整部材５６も有する。本実施形態の調整部材５６は、取り外し可能に操作部５Ａに配置されると共に、他の操作部５にも配置可能である。本実施形態のコントローラ１では、各配置部３１５において、一つの操作部５Ａが調整部材５６を有する。即ち、六つの操作部５のうちの二つの操作部５Ａが、調整部材５６を有している。
【００６３】
調整部材５６は、当接部５４２の初期位置を変更する。即ち、調整部材５６は、初期位置のときの当接部５４２と、本体部２（基部３）に配置された携帯端末Ｓの画面Ｇと、の間隔を調整する。具体的に、調整部材５６は、第一部材５３と第二部材５４との間に配置されるクサビ部５６１と、クサビ部５６１から延びる摘み部５６２と、を有する。
【００６４】
クサビ部５６１は、第一部材５３の凸部５３３側の端部と、第二部材５４の第一部材５３側の端部との間に差し込まれる部位である。このクサビ部５６１は、第一部材５３の凸部５３３側の端部と、第二部材５４の第一部材５３側の端部との間に差し込まれる量（詳しくは、Ｙ軸方向の差し込み量）を変更することで、第一部材５３の凸部５３３側の端部と第二部材５４の第一部材５３側の端部とのＺ軸方向の間隔を変更できる。この間隔の変更に伴い、当接部５４２の初期位置での画面Ｇとの間隔が変化する。本実施形態のクサビ部５６１は、差し込み量が大きくなるほど、第一部材５３の凸部５３３側の端部と第二部材５４の第一部材５３側の端部とのＺ軸方向の間隔が大きくなる形状を有する。
【００６５】
また、クサビ部５６１は、Ｚ軸方向の他方側の面に、Ｙ軸方向に並ぶ複数（本実施形態の例では二つ）の凹部５６１ａを有する。これら複数の凹部５６１ａのそれぞれは、クサビ部５６１の差し込み量を変更するときに第一部材５３の凸部５３３が嵌まり込む部位である。各凹部５６１ａは、第一部材５３の凸部５３３と対応する形状の凹部であり、本実施形態の凹部５６１ａは、Ｘ軸方向から見て、上方側に円弧状に凹んでいる。
【００６６】
本実施形態のクサビ部５６１は、二つの凹部５６１ａを有しているため、第一部材５３の凸部５３３側の端部と第二部材５４の第一部材５３側の端部との間への差し込み量（即ち、第一部材５３の凸部５３３側の端部と第二部材５４の第一部材５３側の端部とのＺ軸方向の間隔）を、Ｙ軸方向の一方側の凹部５６１ａに凸部５３３が嵌まり込む位置（第一位置）のときと、Ｙ軸方向の他方側の凹部５６１ａに凸部５３３が嵌まり込む位置（第二位置）のときとの二段階で調整（変更）できる。
【００６７】
摘み部５６２は、クサビ部５６１の差し込み量を変更する（即ち、クサビ部５６１を移動させる）ときに把持する部位であり、クサビ部５６１におけるＹ軸方向の他方側の端部からＺ軸方向側に延びている。
【００６８】
以上のように構成されるコントローラ１は、以下のようにして携帯端末Ｓに装着される。
【００６９】
先ず、押圧部３２５の押圧用突出部３２８（押圧部本体３２６）が付勢部材の付勢力に逆らってＺ軸方向の他方側に移動させられ、突出部３２０（第一突出部３２１及び第二突出部３２２）と押圧用突出部３２８とのＺ軸方向の間隔が広げられる。この状態で、携帯端末Ｓの一方の側部（幅方向の端部）が突出部３２０（第一突出部３２１及び第二突出部３２２）に当接するまで、本体部２（基部３）の面３１１と各操作部５の当接部５４２との間に挿入される。続いて、前記移動させていた押圧用突出部３２８が開放されることにより、押圧用突出部３２８が付勢力によってＺ軸方向の一方側（突出部３２０側）に戻り、携帯端末Ｓの他方の側部を突出部３２０側に押圧する。これにより、携帯端末Ｓが突出部３２０と押圧用突出部３２８とに挟み込まれ（図７及び図８参照）、携帯端末Ｓが保持部３２に保持さる。即ち、コントローラ１が携帯端末Ｓに装着される。
【００７０】
このように携帯端末Ｓに装着されたコントローラ１は、各グリップ４に小指がそれぞれ巻き掛けられ、人差し指、中指、薬指が各操作部５のタッチ部５３１に添えられた状態で、両手で保持される。そして、前記添えられた指でタッチ部５３１が操作されることで、該操作された操作部５の当接部５４２が画面に当接する。コントローラ１の装着された携帯端末Ｓの画面Ｇが静電容量方式の場合、導通部５２全体が導通性を有しているため前記当接によって画面Ｇからタッチ部５３１までが導通し、これにより、画面Ｇの情報が操作される。
【００７１】
以上のコントローラ１では、各配置部３１５に一つずつ配置されている操作部５Ａは、調整部材５６を有しているため、画面Ｇの情報に対する応答性を変えることができる。具体的には以下の通りである。
【００７２】
操作部５Ａにおいて、調整部材５６を第一位置から第二位置に置変更することで、初期位置における当接部５４２と画面Ｇとの間隔を他の操作部５に比べて小さくできるため、他の操作部５より応答性よく操作することができる。即ち、本実施形態のコントローラ１では、初期位置における当接部５４２と画面Ｇとの間隔を小さくすることで、タッチ部５３１の操作量を小さくでき、これにより、画面Ｇの情報に対する応答性を向上させることができる。
【００７３】
一方、操作部５Ａにおいて、調整部材５６を第二位置から第一位置に置変更することで、初期位置における当接部５４２と画面Ｇとの間隔を、調整部材５６を第二位置に配置したときに比べて大きくできるため、応答性を低くすることができる。即ち、本実施形態のコントローラ１の操作部５Ａでは、初期位置における当接部５４２と画面Ｇとの間隔を小さくすることで、タッチ部５３１の操作量を小さくでき、これにより、画面Ｇの情報に対する応答性を向上させることができる一方、前記間隔を大きくすることで、タッチ部５３１の操作量を大きくでき、これにより、画面Ｇの情報に対する応答性を低くすることもできる。
【００７４】
また、本実施形態のコントローラ１では、操作部５が、タッチ部５３１を含み且つ該タッチ部５３１の操作によって軸５３２周りに回動可能な第一部材（レバー）５３を有し、当接部５４２が、第一部材５３の回動に伴って初期位置と当接位置との間で位置を切り替える。このように、本実施形態のコントローラ１では、当接部５４２の初期位置の変更又はレバーの操作量の変更による好適な操作性（応答性を変えることができる構成）を確保しつつ、レバー操作で当接部５４２を画面に対して当接させ及び離間させる構成とすることで操作性の向上も図っている。
【００７５】
また、本実施形態のコントローラ１では、操作部５が本体部２（基部３）における配置位置を変更できる。このため、使用者の操作の行い易さや、画面Ｇに表示されたボタン等（情報）の位置に合わせ、タッチ部５３１の位置や、操作部５を操作した際の画面Ｇにおける当接部５４２の当接位置を容易に変更することができる。
【００７６】
尚、本発明の携帯端末用コントローラは、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００７７】
上記実施形態のコントローラ１では、二つの配置部３１５に同じ数の操作部５が配置されているが、この構成に限定されない。各配置部３１５に配置される操作部５の数が異なっていてもよく、一方の配置部３１５のみに操作部５が配置されていてもよい。また、配置部３１５の数や、具体的な構成も限定されない。
【００７８】
また、上記実施形態のコントローラ１では、複数の操作部５のうちの一部の操作部５Ａが調整部材５６を有している、即ち、初期位置における当接部５４２と画面Ｇとの間隔を変更可能に構成されているが、この構成に限定されない。全ての操作部５が、初期位置における当接部５４２と画面Ｇとの間隔を変更可能に構成されていてもよい。
【００７９】
また、上記実施形態のコントローラ１では、操作部５が本体部２（基部３）に着脱可能で且つ位置変更可能に配置されているが、この構成に限定されない。操作部５は、位置変更ができない状態で本体部２に着脱可能に配置されていてもよい。また、操作部５は、本体部２に固定されていてもよい。
【００８０】
また、上記実施形態のコントローラ１では、初期位置における当接部５４２と画面Ｇとの間隔を小さくすることで、画面Ｇの情報に対する応答性を高めているが、この構成に限定されない。初期位置の当接部５４２と画面Ｇとの間隔を変えずに（一定のままで）タッチ部５３１の操作量を変更可能とすることで、前記応答性を高める構成としてもよい。
【００８１】
また、上記実施形態のコントローラ１では、操作部５は、長尺な部材（第一部材５３）を軸５３２周りに回動させることで、当接部５４２を画面Ｇに当接又は離間させる、いわゆるレバー式の構成であるが、この構成に限定されない。操作部５は、タッチ部５３１がプランジャやボタンを構成し、該ボタンを押す又は離すことで、当接部が５４２を画面Ｇに対して当接又は離間する、いわゆるスイッチ式の構成等であってもよい。
【００８２】
また、上記実施形態のコントローラ１では、操作部５Ａは、当接部５４２が画面Ｇと当接しない範囲で初期位置の当接部５４２と画面Ｇとの間隔を変更できるが、この構成に限定されない。例えば、操作部５は、当接部５４２が画面Ｇに当接した状態が維持される状態へ切り替え可能な構成でもよい。即ち、操作部５は、タッチ部５３１の操作によって画面Ｇからタッチ部５３１までの導通経路が連続した状態と、断絶した状態とに切り替え可能な導通切替状態（上記実施形態の操作部５のように、当接部５４２を画面Ｇに対して当接及び離間させる構成）と、前記導通経路が連続した状態が維持される導通維持状態と、に切替可能な構成等であってもよい。このように、導通維持状態とすることで、タッチ部５３１に触れるだけで画面Ｇの情報を操作でき（いわゆるダイレクトタッチによる操作が可能となり）、画面Ｇの情報に対してより応答性を高くできる。
【００８３】
また、コントローラ１においてダイレクトタッチの状態とする場合、上記実施形態のコントローラ１のようなレバータイプの操作部５Ａでは、第一部材５３と第二部材５４との端部同士が重なっている部位に調整部材５６を差し込むことで、当接部５４２の画面Ｇとの当接状態が維持される構成であってもよい。
【００８４】
また、例えば、タクタイルスイッチのようなタクトタイプのスイッチが用いられた操作部５では、プランジャやボタン等の指による押圧によって往復動する部材も導電性を有する構成とする（即ち、プランジャやボタン等の指による押圧によって往復動する部材を、画面Ｇからタッチ部までの導通経路を構成する部材の一つとする）ことで、ダイレクトタッチの状態とすることができる。
【００８５】
この場合、操作部５がプランジャやボタンを押圧された位置に固定する部材（状態切替部材）を有し、該部材が前記押圧された位置にあるプランジャやボタンに着脱可能に取り付けられる構成とすることで、導通切替状態と、導通維持状態と、に切替可能な構成とすることができる。
【００８６】
また、上記実施形態のコントローラ１では、画面Ｇからタッチ部５３１までの導通路の端部にある当接部５４２が該画面Ｇと当接又は離間することで、前記導通路の接続又は断絶が行われるが、前記導通路の途中位置に配置された部材等の当接又は離間（着脱）で該導通路の接続又は断絶が行われる構成であってもよい。
【００８７】
また、上記実施形態のコントローラ１は、二つのグリップ４を有し、両手で操作されるが、この構成に限定されない。コントローラ１は、一つのグリップ４を有し、片手で操作される構成であってもよい。また、コントローラ１は、グリップのない構成でもよい。
【００８８】
また、上記実施形態の携帯端末Ｓは、スマートフォンＳであるが、この構成に限定されない。携帯端末Ｓは、ＰＤＡ等の携帯可能な情報端末であればよい。
【符号の説明】
【００８９】
１…コントローラ、２…本体部、３…基部、３１…基部本体、３１ａ…正面部、３１ｂ…背面部、３１ｃ…段差面、３１１…面、３１２…凸条、３１３…切欠き部、３１５…配置部、３２…保持部、３２０…突出部、３２１…第一突出部（突出部）、３２１ａ…当接面、３２１ｂ…貫通孔、３２２…第二突出部（突出部）、３２２ａ…当接面、３２５…押圧部、３２６…押圧部本体、３２７…進退部、３２８…押圧用突出部、３２８ａ…当接面、４…グリップ、４１…当接面、５、５Ａ…操作部、５１…躯体部、５１１…保持部、５１２…保持板部、５１２ａ、５１２ａ１、５１２ａ２…軸受け穴、５１２ｂ…把持部、５１３…嵌入部、５１３ａ…凸部、５２…導通部、５３…第一部材（レバー）、５３１…タッチ部、５３２…軸、５３３…凸部、５４…第二部材、５４１…可動部本体、５４１０…屈曲部、５４１１…第一部位、５４１２…第二部位、５４１３…軸、５４２…当接部、５４２ａ…当接面、５５…付勢部材、５６…調整部材、５６１…クサビ部、５６１ａ…凹部、５６２…摘み部、Ｇ…画面、Ｓ…携帯端末
【要約】      （修正有）【課題】画面の情報に対する応答性を変えることができる携帯端末用コントローラを提供する。【解決手段】携帯端末用コントローラにおいて、画面を有する携帯端末に取り付け可能な本体部と、使用者が操作可能なタッチ部５３１を有し、本体部に配置され、且つ、画面とタッチ部５３１とが導通することで画面の情報を操作可能な操作部５と、を備える。操作部５は、本体部が携帯端末に取り付けられた状態において、タッチ部５３１の操作によって画面からタッチ部５３１までの導通経路が連続した状態と断絶した状態とに切り替え可能な導通切替状態と、導通経路が連続した状態が維持される導通維持状態と、に切替可能である。【選択図】図５【図１】
0006928692.tif 000002
【図２】
0006928692.tif 000003
【図３】
0006928692.tif 000004
【図４】
0006928692.tif 000005
【図５】
0006928692.tif 000006
【図６】
0006928692.tif 000007
【図７】
0006928692.tif 000008
【図８】
0006928692.tif 000009